【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
座標入力領域上の複数の指示位置を検出する座標入力装置であって、
前記座標入力領域上に対する指示手段の有無を検出する複数の検出手段と、
前記座標入力領域上に指示がない場合の初期状態での前記複数の検出手段の初期検出信号分布に対し、指示手段により発生する信号変化範囲を特定する特定手段と、
前記特定手段で特定された信号変化範囲の端部情報を検出する端部情報検出手段と、
前記端部情報検出手段で検出された複数の端部情報を用いて、前記指示手段の指示位置の座標を算出する算出手段と、
前記複数の検出手段の１つの検出手段の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定手段とを備え、
前記判定手段の判定の結果、前記第１の指示手段による信号変化範囲と第２の指示手段による信号変化範囲が重なった状態であると判定すると、前記算出手段により算出された座標を出力し、前記第２の指示手段が座標入力領域に到達してから検出信号が変化するまでの状態であると判定すると、前記算出手段により算出された座標を出力しない
ことを特徴とする座標入力装置。
【請求項２】
前記判定手段は、前記複数の端部情報を用いて算出される複数の座標を比較する比較手段を備え、
前記比較手段による比較結果に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する
ことを特徴とする請求項１に記載の座標入力装置。
【請求項３】
前記判定手段は、前記複数の端部情報それぞれが示す端部の前記座標入力領域上の位置と、各端部情報に対応する前記検出手段とを結ぶ接線同士の交点座標を比較する比較手段を備え、
前記比較手段による比較結果に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する
ことを特徴とする請求項１に記載の座標入力装置。
【請求項４】
前記判定手段は、前記算出手段により算出された座標、前記指示手段の太さ、及び、前記特定手段により特定された信号変化範囲に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する
ことを特徴とする請求項１に記載の座標入力装置。
【請求項５】
前記判定手段は、前記端部情報検出手段で検出した信号変化範囲の端部情報が示す信号変化範囲の両端の前記検出手段に対する角度情報に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する
ことを特徴とする請求項１に記載の座標入力装置。
【請求項６】
座標入力領域上に対する指示手段の有無を検出する検出部を備え、前記座標入力領域上の複数の指示位置を検出する座標入力装置の制御方法であって、
前記座標入力領域上に指示がない場合の初期状態での前記複数の検出部の初期検出信号分布に対し、指示手段により発生する信号変化範囲を特定する特定工程と、
前記特定工程で特定された信号変化範囲の端部情報を検出する端部情報検出工程と、
前記端部情報検出工程で検出された複数の端部情報を用いて、前記指示手段の指示位置の座標を算出する算出工程と、
前記複数の検出部の１つの検出部の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定工程とを備え、
前記判定工程の判定の結果、前記第１の指示手段による信号変化範囲と第２の指示手段による信号変化範囲が重なった状態であると判定すると、前記算出工程により算出された座標を出力し、前記第２の指示手段が座標入力領域に到達してから検出信号が変化するまでの状態であると判定すると、前記算出工程により算出された座標を出力しない
ことを特徴とする座標入力装置の制御方法。
【請求項７】
座標入力領域上に対する指示手段の有無を検出する複数の検出手段を備え、前記座標入力領域上の複数の指示位置を検出する座標入力装置として、コンピュータを機能させるためのプログラムであって、
前記座標入力領域上に指示がない場合の初期状態での前記複数の検出手段の初期検出信号分布に対し、指示手段により発生する信号変化範囲を特定する特定手段と、
前記特定手段で特定された信号変化範囲の端部情報を検出する端部情報検出手段と、
前記端部情報検出手段で検出された複数の端部情報を用いて、前記指示手段の指示位置の座標を算出する算出手段と、
前記複数の検出手段の１つの検出手段の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定手段として、コンピュータを機能させ、
前記判定手段の判定の結果、前記第１の指示手段による信号変化範囲と第２の指示手段による信号変化範囲が重なった状態であると判定すると、前記算出手段により算出された座標を出力し、前記第２の指示手段が座標入力領域に到達してから検出信号が変化するまでの状態であると判定すると、前記算出手段により算出された座標を出力しない
ことを特徴とするプログラム。
【手続補正２】
【補正対象書類名】明細書
【補正対象項目名】００３０
【補正方法】変更
【補正の内容】
【００３０】
本発明は上記の課題を解決するためになされたものであり、指示具が入力領域に到達してから影が形成されるまでの状態において、誤った座標を出力することのない座標入力装置及びその制御方法、プログラムを提供することを目的とする。
【手続補正３】
【補正対象書類名】明細書
【補正対象項目名】００３１
【補正方法】変更
【補正の内容】
【００３１】
上記の目的を達成するための本発明による座標入力装置は以下の構成を備える。即ち、
座標入力領域上の複数の指示位置を検出する座標入力装置であって、
前記座標入力領域上に対する指示手段の有無を検出する複数の検出手段と、
前記座標入力領域上に指示がない場合の初期状態での前記複数の検出手段の初期検出信号分布に対し、指示手段により発生する信号変化範囲を特定する特定手段と、
前記特定手段で特定された信号変化範囲の端部情報を検出する端部情報検出手段と、
前記端部情報検出手段で検出された複数の端部情報を用いて、前記指示手段の指示位置の座標を算出する算出手段と、
前記複数の検出手段の１つの検出手段の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定手段とを備え、
前記判定手段の判定の結果、前記第１の指示手段による信号変化範囲と第２の指示手段による信号変化範囲が重なった状態であると判定すると、前記算出手段により算出された座標を出力し、前記第２の指示手段が座標入力領域に到達してから検出信号が変化するまでの状態であると判定すると、前記算出手段により算出された座標を出力しない。
【手続補正４】
【補正対象書類名】明細書
【補正対象項目名】００３２
【補正方法】変更
【補正の内容】
【００３２】
また、好ましくは、前記判定手段は、前記複数の端部情報を用いて算出される複数の座標を比較する比較手段を備え、
前記比較手段による比較結果に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する。
【手続補正５】
【補正対象書類名】明細書
【補正対象項目名】００３３
【補正方法】変更
【補正の内容】
【００３３】
また、好ましくは、前記複数の端部情報それぞれが示す端部の前記座標入力領域上の位置と、各端部情報に対応する前記検出手段とを結ぶ接線同士の交点座標を比較する比較手段を備え、
前記比較手段による比較結果に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する。
【手続補正６】
【補正対象書類名】明細書
【補正対象項目名】００３４
【補正方法】変更
【補正の内容】
【００３４】
また、好ましくは、前記判定手段は、前記算出手段により算出された座標、前記指示手段の太さ、及び、前記特定手段により特定された信号変化範囲に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する。
【手続補正７】
【補正対象書類名】明細書
【補正対象項目名】００３５
【補正方法】変更
【補正の内容】
【００３５】
また、好ましくは、前記判定手段は、前記端部情報検出手段で検出した信号変化範囲の端部情報が示す信号変化範囲の両端の前記検出手段に対する角度情報に基づいて、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する。
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】変更
【補正の内容】
【００３７】
上記の目的を達成するための本発明による座標入力装置の制御方法は以下の構成を備える。即ち、
座標入力領域上に対する指示手段の有無を検出する検出部を備え、前記座標入力領域上の複数の指示位置を検出する座標入力装置の制御方法であって、
前記座標入力領域上に指示がない場合の初期状態での前記複数の検出部の初期検出信号分布に対し、指示手段により発生する信号変化範囲を特定する特定工程と、
前記特定工程で特定された信号変化範囲の端部情報を検出する端部情報検出工程と、
前記端部情報検出工程で検出された複数の端部情報を用いて、前記指示手段の指示位置の座標を算出する算出工程と、
前記複数の検出部の１つの検出部の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定工程とを備え、
前記判定工程の判定の結果、前記第１の指示手段による信号変化範囲と第２の指示手段による信号変化範囲が重なった状態であると判定すると、前記算出工程により算出された座標を出力し、前記第２の指示手段が座標入力領域に到達してから検出信号が変化するまでの状態であると判定すると、前記算出工程により算出された座標を出力しない。
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】変更
【補正の内容】
【００３９】
上記の目的を達成するための本発明によるプログラムは以下の構成を備える。即ち、
座標入力領域上に対する指示手段の有無を検出する複数の検出手段を備え、前記座標入力領域上の複数の指示位置を検出する座標入力装置として、コンピュータを機能させるためのプログラムであって、
前記座標入力領域上に指示がない場合の初期状態での前記複数の検出手段の初期検出信号分布に対し、指示手段により発生する信号変化範囲を特定する特定手段と、
前記特定手段で特定された信号変化範囲の端部情報を検出する端部情報検出手段と、
前記端部情報検出手段で検出された複数の端部情報を用いて、前記指示手段の指示位置の座標を算出する算出手段と、
前記複数の検出手段の１つの検出手段の検出信号における信号変化範囲が、第１の指示手段による信号変化範囲と第２の指示手段による信号変化範囲が重なった状態であるか、あるいは、前記第２の指示手段が前記座標入力領域に到達してから検出信号が変化するまでの状態であるか、判定する判定手段として、コンピュータを機能させ、
前記判定手段の判定の結果、前記第１の指示手段による信号変化範囲と第２の指示手段による信号変化範囲が重なった状態であると判定すると、前記算出手段により算出された座標を出力し、前記第２の指示手段が座標入力領域に到達してから検出信号が変化するまでの状態であると判定すると、前記算出手段により算出された座標を出力しない。
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】変更
【補正の内容】
【００４１】
本発明によれば、指示手段が座標入力領域に到達してから検出信号が変化するまでの状態において、誤った座標を出力することのない座標入力装置及びその制御方法、プログラムを提供できる。
【手続補正１４】
【補正対象書類名】明細書
【補正対象項目名】００８３
【補正方法】変更
【補正の内容】
【００８３】
そして、センサユニット１Ｌ及び１Ｒの双方の投光部の駆動が終了した後に、センサユニット１Ｌ及び１Ｒの双方の受光部（ラインＣＣＤ１０４）の検出信号が読み出される。